(57)【要約】【課題】  専用のテレビ装置を必要とせず、テレビ放送番組のオンタイムの視聴に関するデータまたはビデオやＤＶＤによる視聴に関するデータを得ることができる視聴履歴情報生成装置及び視聴履歴生成方法を提供する。【解決手段】  テレビ装置３に近接して設置された視聴履歴情報生成装置４が、放送番組等を識別する識別情報が埋め込まれたままの状態でテレビ装置３から出力された映像信号及び音声信号を、それぞれ撮像部及び集音部によって入力する入力手段４３、４４と、取得された映像データ及び音声データの少なくとも一方から識別情報を検出する検出手段４５と、検出された識別情報に基づき視聴履歴情報を生成する生成手段４６と、生成された視聴履歴情報を記録する記録手段４７と、記録した視聴履歴情報を外部からの集計要求に応じてこの集計要求元に送信する送信手段４８とを備えることを特徴とする。【選択図】  図１
2006245641.tif 000002
【特許請求の範囲】
【請求項１】
予め、放送番組を識別する識別情報が映像データ及び音声データの少なくとも一方のデータに埋め込まれて構成された放送データとして放送局より放送されて、この放送データを視聴者側の放送受信装置で受信し、この受信された放送データから前記埋め込まれた識別情報を検出して視聴履歴情報を生成する視聴履歴情報生成装置であって、
前記放送受信装置から、前記受信された放送データに含まれる映像データ及び音声データの少なくとも一方のデータに前記識別情報が埋め込まれたままの状態で映像出力及び音声出力された映像信号及び音声信号を、それぞれ撮像部によって撮像及び集音部によって集音する入力手段と、
この入力手段で取得された撮像データ及び集音データの少なくとも一方のデータから前記埋め込まれた識別情報を検出する識別情報検出手段と、
前記検出された識別情報に基づき視聴履歴情報を生成する視聴履歴情報生成手段と、
前記生成された視聴履歴情報を記録する視聴履歴情報記録手段と、
外部からの集計要求に応じて前記記録された視聴履歴情報を前記集計要求元に送信する視聴履歴情報送信手段と、
を備えた視聴履歴情報生成装置。
【請求項２】
予め、放送番組を識別する識別情報と所定の時間情報とが映像データ及び音声データの少なくとも一方のデータに所定の時間単位毎に埋め込まれて構成された放送データとして放送局より放送されて、この放送データを視聴者側の放送受信装置で受信し、この受信された放送データから前記埋め込まれた識別情報と時間情報とを検出して視聴履歴情報を生成する視聴履歴情報生成装置であって、
前記放送受信装置から、前記受信された放送データに含まれる映像データ及び音声データの少なくとも一方のデータに前記識別情報と前記時間情報とが埋め込まれたままの状態で映像出力及び音声出力された映像信号及び音声信号を、それぞれ撮像部によって撮像及び集音部によって集音する入力手段と、
この入力手段で取得された撮像データ及び集音データの少なくとも一方のデータから前記埋め込まれた識別情報と時間情報とを順次検出する識別／時間情報検出手段と、
前記順次検出された識別情報と時間情報とに基づき、前記時間情報についての時間的な連続性を測定して前記検出された識別情報と時間情報とが埋め込まれた前記放送番組の再生状態を検出すると共に視聴履歴情報を生成する視聴履歴情報生成手段と、
前記生成された視聴履歴情報を記録する視聴履歴情報記録手段と、
外部からの集計要求に応じて前記記録された視聴履歴情報を前記集計要求元に送信する視聴履歴情報送信手段と、
を備えた視聴履歴情報生成装置。
【請求項３】
予め、放送番組を識別する識別情報が映像データ及び音声データの少なくとも一方のデータに埋め込まれて構成された放送データとして放送局より放送されて、この放送データを視聴者側の放送受信装置で受信し、この受信された放送データから前記埋め込まれた識別情報を検出して視聴履歴情報を生成する視聴履歴情報生成方法であって、
前記放送受信装置から、前記受信された放送データに含まれる映像データ及び音声データの少なくとも一方のデータに前記識別情報が埋め込まれたままの状態で映像出力及び音声出力された映像信号及び音声信号を、それぞれ撮像部によって撮像及び集音部によって集音する入力ステップと、
この入力ステップによって取得された撮像データ及び集音データの少なくとも一方のデータから前記埋め込まれた識別情報を検出する識別情報検出ステップと、
前記検出された識別情報に基づき視聴履歴情報を生成する視聴履歴情報生成ステップと、
前記生成された視聴履歴情報を記録する視聴履歴情報記録ステップと、
外部からの集計要求に応じて前記記録された視聴履歴情報を前記集計要求元に送信する視聴履歴情報送信ステップと、
を有した視聴履歴情報生成方法。
【請求項４】
予め、放送番組を識別する識別情報と所定の時間情報とが映像データ及び音声データの少なくとも一方のデータに所定の時間単位毎に埋め込まれて構成された放送データとして放送局より放送されて、この放送データを視聴者側の放送受信装置で受信し、この受信された放送データから前記埋め込まれた識別情報と時間情報とを検出して視聴履歴情報を生成する視聴履歴情報生成方法であって、
前記放送受信装置から、前記受信された放送データに含まれる映像データ及び音声データの少なくとも一方のデータに前記識別情報と前記時間情報とが埋め込まれたままの状態で映像出力及び音声出力された映像信号及び音声信号を、それぞれ撮像部によって撮像及び集音部によって集音する入力ステップと、
この入力ステップによって取得された撮像データ及び集音データの少なくとも一方のデータから前記埋め込まれた識別情報と時間情報とを順次検出する識別／時間情報検出ステップと、
前記順次検出された識別情報と時間情報とに基づき、前記時間情報についての時間的な連続性を測定して前記検出された識別情報と時間情報とが埋め込まれた前記放送番組の再生状態を検出すると共に視聴履歴情報を生成する視聴履歴情報生成ステップと、
前記生成された視聴履歴情報を記録する視聴履歴情報記録ステップと、
外部からの集計要求に応じて前記記録された視聴履歴情報を前記集計要求元に送信する視聴履歴情報送信ステップと、
を有した視聴履歴情報処理方法。
【発明の詳細な説明】
【技術分野】
【０００１】
本発明は、テレビ放送を視聴可能な環境において、視聴率調査などに用いられる視聴履歴情報を生成する視聴履歴情報生成装置及び視聴履歴情報生成方法に関する。
【背景技術】
【０００２】
視聴率は、放送関係者がテレビの媒体力やコマーシャル（以下、ＣＭと略す）の広告効果を測り番組制作や編成に役立てる参考データとして、さらには視聴者の関心や社会の動きを分析する社会調査的なデータとして活用されている。
【０００３】
従来の視聴率を調査するための方法として、特許文献１に記載の視聴検出システムによる視聴検出方法がある。この視聴検出システムは、映像再生装置（テレビジョン受信機）と集計装置とを備えている。その動作は、まず映像再生装置により映像・音声信号に映像コードが付加された映像データが取得される。次に取得された映像データから映像コードが分離され、視聴を検出する映像の映像コードと照合される。照合の結果、一致していれば記憶された視聴履歴を更新する。この視聴履歴は、必要に応じて集計装置に送信される。そして集計装置は映像再生装置から受信した視聴履歴を集計して集計データを作成し、これを管理する。この視聴検出システムによる視聴検出方法は、放送された番組を視聴した場合のみではなく、ビデオやＤＶＤ等により視聴した場合も反映した視聴検出を行うことができる。
【０００４】
また、視聴率を調査する場合、テレビの電源が入っているだけなのか、実際に視聴しているのか、また視聴者は誰なのかを判断できれば、より高い付加価値を有する視聴率統計を得ることができる。これらの判断を行うため、特許文献２及び特許文献３では、カメラを取り付けて視聴者を識別する方法が記載されている。
【０００５】
さらに、特許文献４では、ホームサーバに記憶された放送番組へのリモコンによる操作履歴情報（早送り、巻戻し等）を含む視聴履歴情報が、ネットワークを介して視聴率調査会社に送信されるシステムが記載されている。これにより、番組の中で視聴者が視聴したい領域を把握することができる。
【特許文献１】特開２００１−１７７８５３号
【特許文献２】特開平９−３５０６７号
【特許文献３】特開平７−９５６２５号
【特許文献４】特開２００２−３０５７６０号
【発明の開示】
【発明が解決しようとする課題】
【０００６】
しかし、上記の特許文献１から特許文献３に記載されている技術は、いずれも視聴率調査専用のテレビ受信機を必要とするため、調査を行うサンプリング数を増やすとコスト面での負担が大きくなるという問題があった。
【０００７】
また、特許文献４に記載されている技術は汎用のテレビ装置で視聴率調査を行うことができるが、ホームサーバに蓄積された情報に限られるため、テレビ放送番組をオンタイムで視聴した場合のデータは得ることができないという問題があった。
【０００８】
本発明は上記事情に鑑みてなされたものであり、視聴率調査を行うための専用のテレビ装置を必要とせず、テレビ放送番組のオンタイムの視聴に関するデータとともにビデオやＤＶＤによる視聴に関するデータも得ることができる視聴履歴情報生成装置及び視聴履歴情報生成方法を提供することを目的とする。さらには、視聴の際に行われた早送りや巻戻しに関するデータも得ることができる視聴履歴情報生成装置及び視聴履歴情報生成方法を提供することを目的とする。
【課題を解決するための手段】
【０００９】
上記目的を達成するための本発明の請求項１は、予め、放送番組を識別する識別情報が映像データ及び音声データの少なくとも一方のデータに埋め込まれて構成された放送データとして放送局より放送されて、この放送データを視聴者側の放送受信装置で受信し、この受信された放送データから埋め込まれた識別情報を検出して視聴履歴情報を生成する視聴履歴情報生成装置であって、放送受信装置から、受信された放送データに含まれる映像データ及び音声データの少なくとも一方のデータに識別情報が埋め込まれたままの状態で映像出力及び音声出力された映像信号及び音声信号を、それぞれ撮像部によって撮像及び集音部によって集音する入力手段と、この入力手段で取得された撮像データ及び集音データの少なくとも一方のデータから埋め込まれた識別情報を検出する識別情報検出手段と、検出された識別情報に基づき視聴履歴情報を生成する視聴履歴情報生成手段と、生成された視聴履歴情報を記録する視聴履歴情報記録手段と、外部からの集計要求に応じて記録された視聴履歴情報を集計要求元に送信する視聴履歴情報送信手段とを備えたことを特徴とする。
【００１０】
また請求項２は、予め、放送番組を識別する識別情報と所定の時間情報とが映像データ及び音声データの少なくとも一方のデータに所定の時間単位毎に埋め込まれて構成された放送データとして放送局より放送されて、この放送データを視聴者側の放送受信装置で受信し、この受信された放送データから埋め込まれた識別情報と時間情報とを検出して視聴履歴情報を生成する視聴履歴情報生成装置であって、放送受信装置から、受信された放送データに含まれる映像データ及び音声データの少なくとも一方のデータに識別情報と時間情報とが埋め込まれたままの状態で映像出力及び音声出力された映像信号及び音声信号を、それぞれ撮像部によって撮像及び集音部によって集音する入力手段と、この入力手段で取得された撮像データ及び集音データの少なくとも一方のデータから埋め込まれた識別情報と時間情報とを順次検出する識別／時間情報検出手段と、順次検出された識別情報と時間情報とに基づき、時間情報についての時間的な連続性を測定して検出された識別情報と時間情報とが埋め込まれた放送番組の再生状態を検出すると共に視聴履歴情報を生成する視聴履歴情報生成手段と、生成された視聴履歴情報を記録する視聴履歴情報記録手段と、外部からの集計要求に応じて記録された視聴履歴情報を集計要求元に送信する視聴履歴情報送信手段とを備えたことを特徴とする。
【００１１】
また請求項３は、予め、放送番組を識別する識別情報が映像データ及び音声データの少なくとも一方のデータに埋め込まれて構成された放送データとして放送局より放送されて、この放送データを視聴者側の放送受信装置で受信し、この受信された放送データから埋め込まれた識別情報を検出して視聴履歴情報を生成する視聴履歴情報生成方法であって、放送受信装置から、受信された放送データに含まれる映像データ及び音声データの少なくとも一方のデータに識別情報が埋め込まれたままの状態で映像出力及び音声出力された映像信号及び音声信号を、それぞれ撮像部によって撮像及び集音部によって集音する入力ステップと、この入力ステップによって取得された撮像データ及び集音データの少なくとも一方のデータから埋め込まれた識別情報を検出する識別情報検出ステップと、検出された識別情報に基づき視聴履歴情報を生成する視聴履歴情報生成ステップと、生成された視聴履歴情報を記録する視聴履歴情報記録ステップと、外部からの集計要求に応じて記録された視聴履歴情報を集計要求元に送信する視聴履歴情報送信ステップとを有することを特徴とする。
【００１２】
また請求項４は、予め、放送番組を識別する識別情報と所定の時間情報とが映像データ及び音声データの少なくとも一方のデータに所定の時間単位毎に埋め込まれて構成された放送データとして放送局より放送されて、この放送データを視聴者側の放送受信装置で受信し、この受信された放送データから埋め込まれた識別情報と時間情報とを検出して視聴履歴情報を生成する視聴履歴情報生成方法であって、放送受信装置から、受信された放送データに含まれる映像データ及び音声データの少なくとも一方のデータに識別情報と時間情報とが埋め込まれたままの状態で映像出力及び音声出力された映像信号及び音声信号を、それぞれ撮像部によって撮像及び集音部によって集音する入力ステップと、この入力ステップによって取得された撮像データ及び集音データの少なくとも一方のデータから埋め込まれた識別情報と時間情報とを順次検出する識別／時間情報検出ステップと、順次検出された識別情報と時間情報とに基づき、時間情報についての時間的な連続性を測定して検出された識別情報と時間情報とが埋め込まれた放送番組の再生状態を検出すると共に視聴履歴情報を生成する視聴履歴情報生成ステップと、生成された視聴履歴情報を記録する視聴履歴情報記録ステップと、外部からの集計要求に応じて記録された視聴履歴情報を集計要求元に送信する視聴履歴情報送信ステップとを有することを特徴とする。
【００１３】
映像データまたは音声データに識別情報を付加するときは、分離または消去困難な方法、例えば電子透かし技術を用いて行う。
【発明の効果】
【００１４】
本発明の請求項１の視聴履歴情報生成装置及び請求項３の視聴履歴情報生成方法によれば、視聴率調査を行うための専用のテレビ装置を必要とせず、テレビ放送番組のオンタイムの視聴に関するデータとともにビデオやＤＶＤによる視聴に関するデータも得ることができる。
【００１５】
また、請求項２の視聴履歴情報生成装置及び請求項４の視聴履歴情報生成方法によれば、視聴の際に行われた早送りや巻戻しに関する視聴状態に関するデータも得ることができる。
【発明を実施するための最良の形態】
【００１６】
本発明の一実施形態を図面を用いて説明する。
【００１７】
図１は、本発明の視聴履歴情報生成装置及び視聴履歴生成方法を適用する視聴履歴情報収集システムの一実施形態を示すブロック図である。本実施形態による視聴履歴情報収集システムは、電子透かし埋め込み装置１、放送局２、テレビ装置３、視聴履歴情報処理装置４、及び集計装置５からなる。
【００１８】
電子透かし埋め込み装置１は、ドラマや映画等の放送番組またはコマーシャルメッセージ（以下、放送番組と総称）の映像データ及び音声データの少なくとも一方に、放送番組またはコマーシャルメッセージに関連した識別情報に単位時間ごとの所定の時間情報が付加された情報を、公知の電子透かし技術を利用して時間情報に対応する位置のデータに埋め込む。
【００１９】
「付加される時間情報」の例としては、放送番組及びコマーシャルメッセージの放送時刻、若しくは一定時刻からの相対的な時間を示す時間情報、又は連続する直前の時間情報との差分情報等である。
【００２０】
テレビ装置３は放送局２から送信された映像データ及び音声データを受信し出力する装置であり、電波受信手段３１と、データ変換手段３２と、映像データ出力手段３３と、音声データ出力手段３４とを有する。
【００２１】
電波受信手段３１では、放送局２から送信された電波を受信する。
【００２２】
データ変換手段３２では、電波受信手段３１で受信した電波を映像データ及び音声データに変換し、映像データと音声データとを分離する。
【００２３】
映像データ出力手段３３では、データ変換手段３２で分離して得た映像データを画面に映像として出力する。
【００２４】
音声データ出力手段３４では、データ変換手段３２で分離して得た音声データを音声として出力する。
【００２５】
視聴履歴情報処理装置４は視聴履歴情報生成装置の一実施形態であり、テレビ装置３に近接して設置され、カメラ４１と、マイク４２と、撮像データ入力手段４３と、集音データ入力手段４４と、電子透かし検出手段４５と、視聴履歴情報生成手段４６と、視聴履歴情報記録手段４７と、視聴履歴情報送信手段４８と、視聴者識別情報４９とを有する。
【００２６】
カメラ４１は、テレビ装置３の画面に表示された映像を撮影する。マイク４２は、テレビ装置３から出力された音声を集音する。
【００２７】
撮像データ入力手段４３では、カメラ４１で撮影された映像を撮像データとして入力する。集音データ入力手段４４では、マイク４２で集音された音声を集音データとして入力する。
【００２８】
電子透かし検出手段４５では、撮像データ入力手段４３及び集音データ入力手段４４で入力された撮像データ及び集音データから、電子透かし技術により埋め込まれている識別情報と時間情報とを検出する。
【００２９】
視聴履歴情報生成手段４６では、順次検出された識別情報と時間情報とに基づき、時間情報についての時間的な連続性を測定して検出された識別情報と時間情報とが埋め込まれた放送番組の再生状態を検出すると共に視聴履歴情報を生成する。
【００３０】
視聴履歴情報生成手段４６による再生状態の検出の例としては、付加された時間情報を順次検出して時間的に連続した時間情報それぞれの差と、検出時刻との時間差を比較することにより早送り再生等が行われていたかどうかを検出する。
【００３１】
視聴履歴情報記録手段４７では、視聴履歴情報生成手段４６で生成された視聴履歴情報を記録する。
【００３２】
視聴履歴情報送信手段４８では、視聴履歴情報記録手段４７で記録された視聴履歴情報を必要に応じて集計装置５に送信する。例えば、集計装置５からの集計要求に応じて視聴履歴情報処理装置４は視聴履歴情報を視聴履歴情報送信手段４８から集計装置５に送信する。
【００３３】
視聴者識別情報４９は、予め視聴者により記録され視聴者を識別する情報を保持する。
【００３４】
集計装置５は視聴履歴情報を取扱う集計サービス機関により管理される装置であり、視聴履歴情報受信手段５１と、視聴履歴集計手段５２とを有する。
【００３５】
視聴履歴情報受信手段５１は、視聴履歴情報処理装置４の視聴履歴情報送信手段４８から視聴履歴情報を受信する。視聴履歴集計手段５２は、受信した視聴履歴情報を収集し集計する。
【００３６】
次に、本実施形態における視聴履歴情報収集方法を適用する視聴履歴情報収集システムの動作を説明する。
【００３７】
まず、放送局側により、電子透かし埋め込み装置１に放送番組またはコマーシャルメッセージの映像データ及び音声データと、放送番組またはコマーシャルメッセージに関連した識別情報及び所定の時間情報とが入力される。電子透かし埋め込み装置１では、入力された映像データ及び音声データに、電子透かし技術を利用して識別情報等が埋め込まれ、識別情報付加映像データ及び識別情報付加音声データが生成される。識別情報及び時間情報は、映像データ及び音声データの比較的短い時間単位毎にこの時間情報に従って埋め込まれる。ここで、「比較的短い時間単位」とは、１つの放送番組よりも十分に短く、且つ識別情報等を検出可能な時間よりも長い間隔のことをいう。例えば、コマーシャルメッセージは短いもので約１５秒のものがあるが、この場合は、数秒間隔とするのが好ましい。
【００３８】
次に、電子透かし埋め込み装置１にて生成された識別情報付加映像データ及び識別情報付加音声データが、放送局２を通じて電波によって送信される。この放送局２から送信された電波は、テレビ装置３の電波受信手段３１で受信される。電波受信手段３１で受信された電波は、テレビ装置３のデータ変換手段３２で識別情報付加映像データ及び識別情報付加音声データに変換され、識別情報付加映像データと識別情報付加音声データとが分離される。データ変換手段３２で分離されて得られた識別情報付加映像データは、映像データ出力手段３３で出力され、画面に映像が表示される。また、データ変換手段３２で分離されて得られた識別情報付加音声データは、音声データ出力手段３４で音声として出力される。
【００３９】
テレビ装置３の映像データ出力手段３３及び音声データ出力手段３４で出力された映像及び音声を処理する視聴履歴情報処理装置４の動作の例について、図２のフローチャートを参照して説明する。まず視聴履歴情報処理装置４では、テレビ装置３の映像データ出力手段３３で表示された識別情報付加映像データの映像が、カメラ４１によって撮影される。撮影により得られた撮像データは、撮像データ入力手段４３から入力される。また、テレビ装置３の音声データ出力手段３４から出力された識別情報付加音声データの音声が、マイク４２を利用して集音される。集音されることにより得られた集音データが集音データ入力手段４４から入力される（Ｓ１）。ここで撮像データもしくは集音データのいずれか一方のみ取得可能である場合は、取得可能なデータのみが入力されるようにしてもよい。
【００４０】
次に電子透かし検出手段４５において、撮像データ入力手段４３及び集音データ入力手段４４で入力された撮像データ及び集音データから電子透かし技術を用いて埋め込まれている識別情報及び時間情報が検出される（Ｓ２）。検出された識別情報及び時間情報の説明図を図３に示す。電子透かし検出手段４５では、図３に示すように、撮像データまたは集音データが入力された順に識別情報Ａ１−１〜１−ｍ、２−１〜２−ｎ、３−１〜３−ｋ及び、時間情報ａ１−１〜１−ｍ、２−１〜２−ｎ、及び３−１〜３−ｋが検出される。
【００４１】
そして視聴履歴情報生成手段４６において、順次検出された識別情報と時間情報とに基づき、時間情報についての時間的な連続性が測定されて前記検出された識別情報と時間情報とが埋め込まれた前記放送番組の再生状態が検出されると共に、視聴履歴情報が生成される。このとき、撮像データ及び集音データのいずれか一方のみが取得された場合は、取得されたデータから視聴履歴情報が生成される。撮像データ及び集音データの双方が取得されたときは双方の視聴履歴情報が生成され、いずれか一方の時間情報が単位時間毎に時系列に検出された場合は通常の再生（早送りや巻戻しなどが行われていない）が行われたと判断される。
【００４２】
次に視聴履歴情報記録手段４７において視聴履歴情報生成手段４６で生成された視聴履歴情報が記録される（Ｓ４）。そして、視聴履歴情報送信手段４８により視聴履歴情報記録手段４７で記録された視聴履歴情報が必要に応じて集計装置５に送信される（Ｓ５）。例えば、集計装置５からの集計要求に応じて視聴履歴情報処理装置４により視聴履歴情報が視聴履歴情報送信手段４８から集計装置５に送信される。このとき、予め視聴者により記録された視聴者識別情報４９から該当する視聴者の情報が選択され、視聴者履歴情報とともに集計装置５に送信される（Ｓ６）。
【００４３】
集計装置５では、視聴履歴情報受信手段５１において視聴履歴情報処理装置４から視聴履歴情報及び該当する視聴者識別情報が受信され、視聴履歴集計手段５２において収集及び集計され、視聴率が得られる。
【００４４】
本実施形態によれば、テレビ放送番組のオンタイムの視聴に関するデータとビデオやＤＶＤによる視聴に関するデータとの両方を得ることができるとともに、視聴の際に行われた早送りや巻戻しに関する再生状態に関するデータも得ることができ、付加価値の高い視聴率調査を行うことが可能である。また、視聴者ごとに視聴率調査を行うことが可能であり、番組やコマーシャルを一定以上（例えば最初から最後まで）視聴した視聴者にインセンティブを与えるなど、番組またはコマーシャル制作会社と視聴者との接触を促すシステムに応用することができる。
【００４５】
また、本実施形態においては、映像データまたは音声データに識別情報等を付加する方法として電子透かし技術を用いたがこれには限定されず、データから分離または消去困難な方法であればよい。
【図面の簡単な説明】
【００４６】
【図１】本発明の視聴履歴情報生成装置及び視聴履歴生成方法を適用する視聴履歴情報収集システムの一実施形態を示すブロック図である。
【図２】本発明の視聴履歴情報生成装置及び視聴履歴生成方法の一実施形態における動作を示すフローチャートである。
【図３】本発明の視聴履歴情報生成装置及び視聴履歴生成方法において検出された識別情報及び時間情報の一実施形態を示す説明図である。
【符号の説明】
【００４７】
１  電子透かし埋め込み装置
２  放送局
３  テレビ装置
４  視聴履歴情報処理装置
５  集計装置
３１  電波受信手段
３２  データ変換手段
３３  映像データ出力手段
３４  音声データ出力手段
４１  カメラ
４２  マイク
４３  映像データ入力手段
４４  音声データ入力手段
４５  電子透かし検出手段
４６  視聴履歴情報生成手段
４７  視聴履歴情報記録手段
４８  視聴履歴情報送信手段
４９  視聴者識別情報
５１  視聴履歴情報受信手段
５２  視聴履歴集計手段
【図１】
2006245641.tif 000003
【図２】
2006245641.tif 000004
【図３】
2006245641.tif 000005